(57)【要約】【課題】  一度印刷された画像と同じ画像を、同じ品位で印刷出力する場合に、画像を指定する情報を、使用者が覚える必要がなく、また、既に印刷された画像を画像読取装置に読み込ませさえすれば、先に出力された画像と同じ品位の画像出力を得ることができる複合印刷装置を提供する。【解決手段】  画像を印刷する場合に、画像の周辺に、その画像の印刷サイズ等の印刷指定条件や、画像のファイル名称等の画像印刷情報を印刷し、その後に、印刷された画像をスキャンし、複写を指定するときに、画像の周辺に印刷されている画像印刷情報を解析し、この解析結果に応じて、複合印刷装置内のハードディスク装置に記憶されている画像ファイル印刷指定条件を検索し、この検索された画像ファイル印刷指定条件に従って、印刷する。【選択図】  図２
2005354612.tif 000002
【特許請求の範囲】
【請求項１】
画像記憶部に記憶されている内容を、画像として用紙等に印刷する印刷装置において、
出力指定された画像の印刷のために設定された印刷情報が文字列パターンに画像化されている印刷情報文字列パターン画像を作成する印刷情報文字列パターン画像作成手段と；
出力指定された画像を画像記憶部から読み出して、上記印刷情報文字列パターン画像とともに印刷させる印刷制御部と；
を有することを特徴とする複合印刷装置。
【請求項２】
画像記憶部に記憶されている内容を、画像として用紙等に印刷する印刷装置において、
画像とともに印刷された、画像の印刷のために設定された印刷情報が文字列パターンに画像化されている印刷情報文字列パターン画像を読み取る読取手段と；
上記読取手段が読み取った印刷情報文字列パターン画像から、印刷情報を抽出する印刷情報抽出手段と；
上記印刷情報抽出手段が抽出した印刷情報を設定し、上記画像記憶部に記憶されている内容を、画像として用紙等に印刷させる印刷制御手段と；
を有することを特徴とする印刷装置。
【請求項３】
画像記憶部に記憶されている内容を、画像として用紙等に印刷する印刷装置において、
出力指定された画像の印刷のために設定された印刷情報が文字列パターンに画像化されている印刷情報文字列パターン画像を作成する印刷情報文字列パターン画像作成手段と；
出力指定された画像を画像記憶部から読み出して、上記印刷情報文字列パターン画像とともに印刷する印刷制御部と；
画像とともに印刷された、画像の印刷のために設定された印刷情報が文字列パターンに画像化されている印刷情報文字列パターン画像を読み取る読取手段と；
上記読取手段が読み取った印刷情報文字列パターン画像から、印刷情報を抽出する印刷情報抽出手段と；
上記印刷情報抽出手段が抽出した印刷情報を設定し、上記画像記憶部に記憶されている内容を、画像として用紙等に印刷させる印刷部制御手段と；
を有することを特徴とする印刷装置。
【請求項４】
画像記憶部に記憶されている内容を、画像として用紙等に印刷する印刷装置の制御方法において、
出力指定された画像の印刷のために設定された印刷情報が文字列パターンに画像化されている印刷情報文字列パターン画像を作成する印刷情報文字列パターン画像作成工程と；
出力指定された画像を画像記憶部から読み出して、上記印刷情報文字列パターン画像とともに印刷させる印刷制御工程と；
を有することを特徴とする複合印刷装置の制御方法。
【請求項５】
画像記憶部に記憶されている内容を、画像として用紙等に印刷する印刷装置の制御方法において、
画像とともに印刷された、画像の印刷のために設定された印刷情報が文字列パターンに画像化されている印刷情報文字列パターン画像を読み取る読取工程と；
上記読取工程が読み取った印刷情報文字列パターン画像から、印刷情報を抽出する印刷情報抽出工程と；
上記印刷情報抽出工程が抽出した印刷情報を設定し、上記画像記憶部に記憶されている内容を、画像として用紙等に印刷させる印刷制御工程と；
を有することを特徴とする印刷装置の制御方法。
【請求項６】
画像記憶部に記憶されている内容を、画像として用紙等に印刷する印刷装置の制御方法において、
出力指定された画像の印刷のために設定された印刷情報が文字列パターンに画像化されている印刷情報文字列パターン画像を作成する印刷情報文字列パターン画像作成工程と；
出力指定された画像を画像記憶部から読み出して、上記印刷情報文字列パターン画像とともに印刷する印刷制御工程と；
画像とともに印刷された、画像の印刷のために設定された印刷情報が文字列パターンに画像化されている印刷情報文字列パターン画像を読み取る読取工程と；
上記読取工程が読み取った印刷情報文字列パターン画像から、印刷情報を抽出する印刷情報抽出工程と；
上記印刷情報抽出工程が抽出した印刷情報を設定し、上記画像記憶部に記憶されている内容を、画像として用紙等に印刷させる印刷部制御工程と；
を有することを特徴とする印刷装置の制御方法。
【発明の詳細な説明】
【技術分野】
【０００１】
本発明は、画像をページ単位で入力する機能と、ページ単位で印刷する機能とを関連づけ、コピー機能を持ち、画像が記憶されているメモリカードの画像データを参照するためのメモリカードインタフェースを持ち、このメモリカードの画像を印刷する機能を持つ印刷装置とその制御方法に関する。
【背景技術】
【０００２】
従来の複合印刷装置において、メモリカードや、内蔵されている記憶装置に記憶されている画像を印刷する場合、メモリカードに記憶されている全ての画像を印刷する。
【０００３】
ところで、近年、デジタルカメラ等の受光素子の有効画素数が増大するに伴い、印刷される画像サイズが増大され、印刷される画像面積が大きくなり、これに伴って、全ての画像を同じサイズで印刷するだけでなく、画像サイズを指定して印刷が行われている。
【０００４】
このように、画像サイズを指定して印刷する場合、印刷装置側で画像サイズを指定して印刷する場合があり、また、デジタルカメラ側で画像サイズを指定して印刷する場合がある（たとえば、特許文献１参照）。
【特許文献１】特開２００３−２６４７８８号公報
【発明の開示】
【発明が解決しようとする課題】
【０００５】
しかし、上記従来例においては、印刷された画像を、アルバム等に収納し、後日、知人に渡すために、印刷装置（複合印刷装置）で、もう一度印刷をする場合、印刷された結果を、スキャナ部等でスキャンし、印刷したのでは、画像品位が低下するという問題がある。
【０００６】
つまり、上記従来例では、一度印刷された画像と同じ画像を、再び、同じ品位で印刷出力する場合に、その画像を指定する情報を、使用者が覚えている必要があるという問題があり、また、その画像を指定する情報を、使用者が覚えていなければ、先に出力された画像と同じ品位の画像を出力することが困難であるという問題がある。
【０００７】
本発明は、一度印刷された画像と同じ画像を、再び、同じ品位で印刷出力する場合に、画像を指定する情報を、使用者が覚えている必要がなく、また、既に印刷された画像を画像読取装置に読み込ませさえすれば、先に出力された画像と同じ品位の画像出力を得ることができる印刷装置を提供することを目的とするものである。
【課題を解決するための手段】
【０００８】
本発明は、複合印刷装置内にハードディスク装置等の大容量不揮発性記憶装置をもち、しかも、画像を印刷する場合に、画像の周辺に、その画像の印刷サイズ等の印刷指定条件や、画像のファイル名称等の画像印刷情報を印刷し、その後に、印刷された画像をスキャンし、複写を指定するときに、画像の周辺に印刷されている画像印刷情報を解析し、この解析結果に応じて、複合印刷装置内のハードディスク装置に記憶されている画像ファイル印刷指定条件を検索し、この検索された画像ファイル印刷指定条件に従って、印刷するので、元の印刷された画像と同じ品質で印刷することができる。
【発明の効果】
【０００９】
本発明によれば、一度印刷された画像と同じ画像を、再び、同じ品位で印刷出力する場合に、画像を指定する情報を、使用者が覚えている必要がなく、既に印刷された画像を画像読取装置に読み込ませさえすれば、先に出力された画像と同じ品位の画像出力を得ることができるという効果を奏する。
【００１０】
また、印刷された画像を再度読み取って印刷し、しかも、最初の印刷画像の品位と同じ品位で印刷するには、読取装置の能力が、印刷装置の処理能力を大幅に上回る必要があり現実的ではないが、本発明によれば、適切な能力バランスで印刷画像の品位を保った複写画像を得ることができるという効果を奏する。
【発明を実施するための最良の形態】
【００１１】
発明を実施するための最良の形態は、次の実施例である。
【実施例１】
【００１２】
図１は、本発明の実施例１である複合印刷装置１００の構成を示すブロック図である。
【００１３】
複合印刷装置１００は、スキャナ部と、印刷部１１５と、ハードディスク装置で構成されている画像記憶装置１１１と、メモリカードインタフェース１０７とを有する。
【００１４】
つまり、複合印刷装置１００は、内部バス１０２と、ＣＰＵ１０３と、ＲＡＭ１０４と、ＲＯＭ１０５と、Ｉ／Ｏインタフェース１０６と、メモリカードインタフェース１０７と、画像情報文字パターン作成装置１０８と、画像読取装置１０９と、文字画像認識装置１１０と、画像記憶装置１１１と、画像情報解析装置１１２と、画像処理装置１１３と、画像一時記憶装置１１４と、印刷部１１５と、操作部１１６とを有する。
【００１５】
内部バス１０２は、複合印刷装置１００の内部データ等をやり取りする。ＣＰＵ１０３は、複合印刷装置１００の全体を制御する。ＲＡＭ１０４は、ＣＰＵ１０３のプログラムの作業領域等を提供する。
【００１６】
ＲＯＭ１０５は、ＣＰＵ１０３のプログラムやテーブルデータ等を記憶するメモリである。Ｉ／Ｏインタフェース１０６は、複合印刷装置１００の外部との間でデータをやり取りする。メモリカードインタフェース１０７は、複合印刷装置１００の外部のメモリカードから画像等を読み込む。
【００１７】
画像情報文字パターン作成装置１０８は、画像ファイル名称や印刷サイズ指定等の印刷画像情報を印刷するために、画像情報に基づいて、文字パターンを作成する。画像読取装置１０９は、ページ単位で画像を読み取る。文字画像認識装置１１０は、画像読取装置１０９から読み取られた画像に基づいて、文字列を認識する。
【００１８】
画像記憶装置１１１は、複数の画像を記憶する。画像情報解析装置１１２は、文字画像認識装置１１０が認識した文字列に含まれている画像ファイル名称やサイズ指定情報等を検出する。画像処理装置１１３は、画像サイズの縮小等の画像処理を行う。
【００１９】
画像一時記憶装置１１４は、画像処理装置１１３等のために印刷前に一時的に画像を記憶しておく。印刷部１１５は、実際に印刷を行う。操作部１１６は、印刷・コピー指示や縮小率の指定等を入力する。
【００２０】
図２は、複合印刷装置１００が印刷した画像の例を示す図である。
【００２１】
画像１１は、画像記憶装置１１１に記憶されている。
【００２２】
出力画像１２は、印刷部１１５が印刷した出力画像であり、図２に示すように、画像１３と文字列１４とを出力する。
【００２３】
画像１３は、出力画像１２が縮小された画像であり、文字列１４は、出力画像１２の印刷画像情報の内容を示す文字列である。
【００２４】
次に、実施例１の動作について説明する。
【００２５】
図３は、複合印刷装置１００が画像印刷する動作を示すフローチャートである。
【００２６】
まず、指定された印刷画像情報を含む画像を出力するまでの動作について説明する。
【００２７】
Ｓ１では、複合印刷装置１００のＣＰＵ１０３は、印刷出力を行う画像が、メモリカードインタフェース１０７を介して参照するメモリカードに格納されているのか、または、画像記憶装置１１１に格納されているのかを判断する。
【００２８】
メモリカードに格納されている場合、Ｓ２では、メモリカードインタフェース１０７を介在して、画像を読み込み、画像記憶装置１１１に格納し、Ｓ３に移る。印刷出力が、画像記憶装置１１１に含まれている場合（Ｓ１）、Ｓ３に移る。
【００２９】
Ｓ３では、複合印刷装置１００のＣＰＵ１０３は、印刷出力の画像サイズの入力を、操作部１１６から受ける。この場合、印刷出力の画像サイズが７０％であるとの入力を受けたとする。Ｓ４では、複合印刷装置１００のＣＰＵ１０３は、画像記憶装置１１１に格納されている画像と、操作部１１６から入力された縮小率とを、画像処理装置１１３に指示し、７０％に縮小した画像を、画像一時記憶装置１１４に作成する。
【００３０】
また、複合印刷装置１００のＣＰＵ１０３は、印刷出力を行う画像ファイル名と、上記縮小率の値とを、画像情報文字パターン作成装置１０８に送り、画像一時記憶装置１１４内に、印刷画像情報の文字列パターンを印刷可能な状態で格納する。
【００３１】
Ｓ５では、複合印刷装置１００のＣＰＵ１０３は、画像一時記憶装置１１４に格納されている画像を、印刷部１１５に送り、印刷画像出力を行う。この結果出力された画像が、図３に示す画像１２である。
【００３２】
つまり、上記実施例は、ページ画像記憶装置に記憶されている内容を、画像として用紙等に印刷する複合印刷装置において、印刷情報が文字列パターンに画像化されている印刷情報文字列パターン画像を、出力指定画像とともに、ビットマップパターンとして記憶する記憶手段と、上記記憶手段に記憶されている上記印刷情報の画像と上記印刷情報文字列パターン画像とを印刷する印刷部とを有する複合印刷装置の例である。
【００３３】
次に、実施例１における主な動作である印刷出力された画像に含まれている印刷画像情報を認識し、読み取り画像ではなく、複合印刷装置１００内に記憶されている画像を、再画像処理し、印刷する動作について説明する。
【００３４】
図４は、複合印刷装置１００におけるコピー動作を示すフローチャートである。
【００３５】
Ｓ１１では、複合印刷装置１００のＣＰＵ１０３は、画像読取装置１０９から１ページ分の画像を入力する。Ｓ１２では、複合印刷装置１００のＣＰＵ１０３は、読み取った１ページ分の画像を、文字画像認識装置１１０に送り、文字認識する。Ｓ１３では、複合印刷装置１００のＣＰＵ１０３は、読み込んだ画像に、画像印刷情報が含まれているかどうかを、文字画像認識装置１１０による認識結果に基づいて、判断する。
【００３６】
画像印刷情報が含まれていないと判断された場合（Ｓ１３）、読み込んだ画像をそのまま印刷出力する（Ｓ１５）。一方、画像印刷情報が含まれていると判断された場合（Ｓ１３）、Ｓ１４に移る。Ｓ１４では、複合印刷装置１００のＣＰＵ１０３は、認識された画像印刷情報に基づいて印刷出力を行ったときと同様に、画像記憶装置１１１から読み出し認識された画像の縮小率を、画像処理装置１１３に送り、画像一時記憶装置１１４に出力させ、また、画像情報文字パターン作成装置１０８を使って、画像情報文字パターンを、画像一時記憶装置１１４に格納する。Ｓ１５では、複合印刷装置１００のＣＰＵ１０３は、作成された画像を、最初の画像出力と全く同じ品位で、印刷部１１５から印刷する。
【００３７】
つまり、上記実施例は、ページ画像記憶装置に記憶されている内容を、画像として用紙等に印刷する複合印刷装置において、印刷情報が文字列パターンに画像化されている印刷情報文字列パターン画像を読み取る読取手段と、上記読取手段が読み取った印刷情報文字列パターン画像から、印刷情報を抽出する印刷情報抽出手段と、上記印刷情報抽出手段が抽出した印刷情報に基づいて、画像出力する画像出力手段とを有する複合印刷装置の例である。
【００３８】
また、上記実施例は、ページ画像記憶装置に記憶されている内容を、画像として用紙等に印刷する複合印刷装置において、印刷情報が文字列パターンに画像化されている印刷情報文字列パターン画像を、出力指定画像とともに、ビットマップパターンとして記憶する記憶手段と、上記記憶手段に記憶されている上記印刷情報の画像と、上記印刷情報文字列パターン画像とを、印刷する印刷部と、印刷情報が文字列パターンに画像化されている印刷情報文字列パターン画像を読み取る読取手段と、上記読取手段が読み取った印刷情報文字列パターン画像から、印刷情報を抽出する印刷情報抽出手段と、上記印刷情報抽出手段が抽出した印刷情報に基づいて、上記印刷部に画像出力させる印刷部制御手段とを有する複合印刷装置の例である。
【図面の簡単な説明】
【００３９】
【図１】本発明の実施例１である複合印刷装置１００の構成を示すブロック図である。
【図２】複合印刷装置１００が印刷した画像の例を示す図である。
【図３】複合印刷装置１００が画像印刷する動作を示すフローチャートである。
【図４】複合印刷装置１００におけるコピー動作を示すフローチャートである。
【符号の説明】
【００４０】
１００…複合印刷装置、
１０２…内部バス、
１０３…ＣＰＵ、
１０４…ＲＡＭ、
１０５…ＲＯＭ、
１０６…Ｉ／Ｏインタフェース、
１０７…メモリカードインタフェース、
１０８…画像情報文字パターン作成装置、
１０９…画像読取装置、
１１０…文字画像認識装置、
１１１…画像記憶装置、
１１２…画像情報解析装置、
１１３…画像処理装置、
１１４…画像一時記憶装置、
１１５…印刷部、
１１６…操作部。
【図１】
2005354612.tif 000003
【図２】
2005354612.tif 000004
【図３】
2005354612.tif 000005
【図４】
2005354612.tif 000006